(57)【要約】【課題】リモコンが下側又は前方斜め下側上方に向かってから押された場合にも、容易に係止状態が外れることのない、簡単な構造のリモコン保持構造を提供する。【解決手段】電子機器の遠隔操作をするリモコンをリモコンホルダー１０１にその上方から着脱自在に係止するリモコン保持構造において、リモコンは、前面カバーと後面カバーとを固着具で結合一体化してなり、同後面カバーの背面に、リモコンホルダー１０１に係止するための係止部と、前記固着具の頭部が収納される固着具収納凹部と、を備え、リモコンホルダー１０１はその前面に、リモコンを係止するための前記係止部と係合する係止受部１０３と、この係止部と係止受部１０３とが係合した状態で、前記固着具収納凹部に挿入されるように形成された突起部１０４と、を備えた。【選択図】図５
2008133586.tif 000002
【特許請求の範囲】
【請求項１】
電子機器の遠隔操作をするリモコンをリモコンホルダーにその上方から着脱自在に係止するリモコン保持構造において、リモコンは、前面カバーと後面カバーとを固着具で結合一体化してなり、同後面カバーの背面に、リモコンホルダーに係止するための係止部と、前記固着具の頭部が収納される固着具収納凹部と、を備え、リモコンホルダーはその前面に、リモコンを係止するための前記係止部と係合する係止受部と、この係止部と係止受部とが係合した状態で、前記固着具収納凹部に挿入されるように形成された突起部と、を備えたことを特徴とするリモコン保持構造。
【請求項２】
突起部は、その上側縁が円弧状に形成され、その下側縁が平面状に形成されたものであることを特徴とする請求項１記載のリモコン保持構造。
【請求項３】
係止部がリモコンの略上半分の範囲に設けられると共に、係止受部がリモコンホルダーの略上半分の範囲に設けられ、突起部は同係止受部と略同じ高さ位置でその左右両側に設けられていることを特徴とする請求項１又は２記載のリモコン保持構造。
【発明の詳細な説明】
【技術分野】
【０００１】
本願発明は、電子機器を遠隔操作するためのリモコンに関し、特にリモコンの保持構造に関するものである。
【背景技術】
【０００２】
従来から、例えばトイレ内に設置された水洗便器や温水洗浄便座装置等を遠隔操作するためのトイレ用リモコンが知られている。特許文献１には、トイレ内の壁面に取り付けられるトイレ用リモコンが開示されている。
【特許文献１】特開２００６−２４９５号公報
【発明の開示】
【発明が解決しようとする課題】
【０００３】
上記従来例であるリモコンは、壁面に取り付けられるものであるが、着脱自在にリモコンを保持するリモコンホルダーを、壁面に固定具で固定することによって、リモコンを壁面から着脱自在にすることができる。このことより、使用者は、リモコンを壁面に取り付けられた状態で操作することも、リモコンを壁面から取り外して、手に持って操作することもできる。
【０００４】
リモコンホルダーが、リモコンを係止する場合、リモコンホルダーの前面に凸部、リモコンの後面に凹部を形成して、これらを嵌合することで係止することができる。しかし、リモコンの取り外しを容易にするために、リモコンの自重によって嵌合が維持される係止構造の場合には、リモコンが下側又は前方斜め下側から上方に向かって押された場合に、容易に嵌合が外れてリモコンが落下する問題があった。
【０００５】
本願発明は、上記の問題点に鑑みて発明されたものであり、リモコンがリモコンホルダーに係止された状態において、新たな部品を追加することなく、リモコンが下側又は前方斜め下側から押された場合にも、容易に係止状態が外れることのないリモコン保持構造を提供することを目的とする。
【課題を解決するための手段】
【０００６】
上記課題を解決するために、本願請求項１記載の発明では、電子機器の遠隔操作をするリモコンをリモコンホルダーにその上方から着脱自在に係止するリモコン保持構造において、リモコンは、前面カバーと後面カバーとを固着具で結合一体化してなり、同後面カバーの背面に、リモコンホルダーに係止するための係止部と、前記固着具の頭部が収納される固着具収納凹部と、を備え、リモコンホルダーはその前面に、リモコンを係止するための前記係止部と係合する係止受部と、この係止部と係止受部とが係合した状態で、前記固着具収納凹部に挿入されるように形成された突起部と、を備えたことを特徴としている。
【０００７】
本願請求項２記載の発明では、上記請求項１記載のリモコン保持構造において、突起部は、その上側縁が円弧状に形成され、その下側縁が平面状に形成されたものであることを特徴としている。
【０００８】
本願請求項３記載の発明では、上記請求項１又は２記載のリモコン保持構造において、係止部がリモコンの略上半分の範囲に設けられると共に、係止受部がリモコンホルダーの略上半分の範囲に設けられ、突起部は同係止受部と略同じ高さ位置でその左右両側に設けられていることを特徴としている。
【発明の効果】
【０００９】
本願請求項１記載の発明のリモコン保持構造においては、リモコンが係止部と固着具収納凹部とを後面カバーの背面に備え、リモコンホルダーが係止受部と突起部とを前面に備えたことによって、リモコンがリモコンホルダーに係止される際に、係止部と係止受部とが係合されると共に、突起部が固着具収納凹部に挿入される。このことにより、リモコンが下側又は前方斜め下側から上方に向かって押された場合でも、突起部が固着具収納凹部の内側面に当接されることで、リモコンは上方に移動することができなくなり、容易に係止状態が外れることを防ぐことができる。
【００１０】
しかも、この場合、前面カバーと後面カバーとを結合一体化するための固着具の頭部が収納される固着具収納凹部を有効利用して、リモコンホルダーの前面に同固着具収納凹部に挿入される突起部を設けた簡単な構造となる。
【００１１】
本願請求項２記載の発明のリモコン保持構造においては、特に、突起部は、その下側縁が平面状に形成されているので、リモコンが下側又は前方斜め下側から上方に向かって押された場合に、突起部の平面状に形成された下側縁の両角部が、固着具収納凹部の内側面に２点で当接されて、リモコンの移動がより困難になり、さらに係止状態を安定させることができる。
【００１２】
また、突起部が固着具収納凹部へ挿入される際には、突起部の上側縁から固着具収納凹部へ挿入されていくので、突起部の上側縁を円弧状に形成することで、挿入時の抵抗を低減することができ、挿入を容易にすることができる。
【００１３】
本願請求項３記載の発明のリモコン保持構造においては、特に、係止部がリモコンの略上半分の範囲に設けられると共に、係止受部がリモコンホルダーの略上半分の範囲に設けられているので、リモコンの重心位置（略中心位置）より高い位置で係止することができる。リモコンをリモコンホルダーに係止した場合に、リモコンは、自重によって係止状態を保持するため、重心位置（略中心位置）より高い位置で係止されることによって、係止状態を安定させることができる。
【００１４】
さらに、突起部を係止受部と略同じ高さ位置でその左右両側に設けることによって、係止部を係止受部へ挿入し嵌合する際に、突起部も固着具収納凹部へ略同時に挿入されることとなる。このことにより、係止部の係止受部への挿入と、突起部の固着具収納凹部への挿入とを同時に確認することができるので、リモコンをリモコンホルダーに容易に係止することができる。
【発明を実施するための最良の形態】
【００１５】
図１〜図６は、本願発明の実施形態であるリモコン保持構造を示している。このリモコン保持構造は、電子機器の遠隔操作をするリモコン１をリモコンホルダー１０１にその上方から着脱自在に係止するものである。
【００１６】
そして、このリモコン保持構造において、リモコン１は、前面カバー２と後面カバー３とをネジである固着具（図示せず）で結合一体化してなり、同後面カバー３の背面に、リモコンホルダー１０１に係止するための係止用凹部（係止部）３１と、前記固着具の頭部が収納される固着具収納凹部３５と、を備えている。
【００１７】
また、リモコンホルダー１０１はその前面に、リモコン１を係止するための前記係止用凹部３１と係合する係止用凸部（係止受部）１０３と、この係止用凹部３１と係止用凸部１０３とが係合した状態で、前記固着具収納凹部３５に挿入されるように形成された突起部１０４と、を備えている。
【００１８】
また、この実施形態のリモコン保持構造において、突起部１０４は、その上側縁１０４ａが円弧状に形成され、その下側縁１０４ｂが平面状に形成されている。しかも、係止用凹部３１の実質的な係止部がリモコン１の略上半分の範囲に設けられると共に、係止用凸部１０３がリモコンホルダー１０１の略上半分の範囲に設けられ、突起部１０４は同係止用凸部１０３の凸部上辺１０３ａと略同じ高さ位置でその左右両側に設けられている。
【００１９】
以下、この実施形態のリモコン保持構造を、より具体的詳細に説明する。図１に示すように、本実施形態のリモコン１は、トイレルームＴ内に設置された水洗便器Ａや該水洗便器Ａに装着された温水洗浄便座装置等を遠隔操作するためのトイレ用リモコンであって、トイレルームＴ内の壁面Ｗに取り付けられた状態で、又は取り外した状態で操作されるようになっている。
【００２０】
図２〜図４に示すように、リモコン１は、前面カバー２と、後面カバー３とを含んでいる。そして、前面カバー２は、前面部２１と、前面部２１の上端縁から後方に延びる上面部２２と、前面部２１の下端縁から後方に延びる下面部２３と、前面部２１の左右両側端縁から後方に延びつつ上面部２２および下面部２３を上下方向に連結する左右両側面部２４とにより構成されている。
【００２１】
図３に示すように、前面部２１は、当該前面部２１の略上半分を占める前面上部２１ａと、前面上部２１ａの下端に連設されて該前面上部２１ａよりも一段後方（奥側）に配される前面下部２１ｂとにより構成されている。そして、前面部２１には、上記前面下部２１ｂを覆う蓋部材４が取り付けられている。この蓋部材４は、前面下部２１ｂの下端近傍に設けられたヒンジ１４を支点に回動するように構成されており、これによって前面下部２１ｂに対して開閉可能となっている。
【００２２】
前面上部２１ａには、複数の前面操作ボタン６と液晶パネル７とが設けられている。これらの前面操作ボタン６は、例えば、お尻の洗浄や乾燥およびそれら動作の停止等の操作を行うためのものである。また、液晶パネル７には、当該リモコン１の各種設定状況や現在時刻等が表示されるようになっている。前面下部２１ｂには、複数の前面サブ操作ボタン８が設けられている。これらの前面サブ操作ボタン８は、主として、当該リモコン１の各種動作環境の設定を行うためのものである。また、蓋部材４には、複数の蓋側操作ボタン９が設けられている。
【００２３】
後面カバー３は、図４に示すように、係止用凹部３１と、固着具収納凹部３５とを備えている。係止用凹部３１は、トイレルームＴ内の壁面Ｗに固定されたリモコンホルダー１０１の係止用凸部１０３に係止されることで、リモコン１をトイレルームＴの壁面Ｗに取り付けることができる。
【００２４】
さらに、係止用凹部３１は、凹部上辺３１ａと、この凹部上辺３１ａと連続に形成されて傾斜した２辺の凹部傾斜側辺３１ｃを有している。凹部上辺３１ａ及び両凹部傾斜側辺３１ｃは、下方に開口したＬ字状断面を形成している。そして、この凹部上辺３１ａ及び両凹部傾斜側辺３１ｃが、実質的な係止部としてリモコン１の略上半分の範囲に設けられている。また、係止用凹部３１は、凹部上辺３１ａよりも長い凹部下辺３１ｂと、凹部下辺３１ｂと凹部傾斜側辺３１ｃと連続に形成されている凹部側辺３１ｆとをさらに有している。
【００２５】
このことによって、係止用凹部３１は、係止用凸部１０３より十分に大きい面積を有することができるので、リモコン１をリモコンホルダー１０１に係止する場合、係止用凸部１０３を係止用凹部３１に挿入しやすくなる。
【００２６】
また、固着具収納凹部３５は、後面カバー３を前面カバー２にネジ止めする際に、固着具であるネジを挿入して固着した状態において、ネジの頭部を後面カバー３の表面から突出しないように、ネジの頭部を収納するために設けられたものである。また、電池を内蔵するための電池ボックス用切欠き（図示せず）には、電池ボックス用蓋５を嵌め込むようになっている。
【００２７】
図５に示すように、リモコンホルダー１０１は矩形板状で、取付孔１０２と係止用凸部１０３と突起部１０４とをその前面に備えている。リモコンホルダー１０１は、トイレルームＴ内に壁面Ｗの適所に背面を密着させ、ネジなどの固定具（図示せず）を取付孔１０２に貫通させて壁面Ｗに打ち込むことにより壁面Ｗに固定される。
【００２８】
係止用凸部１０３は、リモコン１を係止するために設けられている。係止用凸部１０３は、凸部上辺１０３ａが凸部下辺１０３ｂよりも短い台形を形成しており、中央部１０３ｄは凹所として形成されている。凸部上辺１０３ａ及び両凸部側辺１０３ｃは、上方が開口するようなＬ字状断面を形成している。
【００２９】
リモコン１がリモコンホルダー１０１に係止される場合、リモコン１の係止用凹部３１の凹部上辺３１ａとリモコンホルダー１０１の係止用凸部１０３の凸部上辺１０３ａとがそれぞれのＬ字状断面を利用して嵌合し、同様に凹部傾斜側辺３１ｃと凸部側辺１０３ｃとが嵌合することによって係止される。
【００３０】
図６は、リモコン１がリモコンホルダー１０１に係止されている状態の断面斜視図であり、凹部傾斜側辺３１ｃと凸部側辺１０３ｃとが嵌合している状態を示す。また、リモコン１は、リモコンホルダー１０１に係止されると、凹部上辺３１ａと凸部上辺１０３ａとの嵌合及び凹部傾斜側辺３１ｃと凸部側辺１０３ｃとの嵌合が、同リモコン１の自重によって維持される。
【００３１】
さらに、係止用凸部１０３は、リモコンホルダー１０１の略上半分の範囲に設けられている。そして、前記係止用凹部３１がリモコン１の略上半分の範囲に設けられることにもよって、リモコン１をリモコンホルダー１０１に係止した場合に、リモコン１の重心位置（略中心位置）より高い位置で係止することができるので、係止状態が安定する。
【００３２】
また、係止用凸部１０３の上辺１０３ａの中央には、円弧状の凸部１０３ｅが形成されており、リモコン１の係止用凹部３１の上縁中央には、円弧状の凹部３１ｅが形成されている。リモコン１がリモコンホルダー１０１に係止される場合に、凹部３１ｅが凸部１０３ｅに嵌合されることによって、リモコン１は、リモコンホルダー１０１の略中央に位置決めされて係止される。
【００３３】
図５に示すように、突起部１０４は、リモコン１をリモコンホルダー１０１に係止した状態において、リモコン１の後面カバーに設けられた固着具収納凹部３５に挿入されるように、リモコンホルダー１０１前面の係止用凸部１０３の左右両側に同係止用凸部１０３と略同じ高さ位置に設けられている。
【００３４】
リモコン１がリモコンホルダー１０１に係止された状態では、凹部上辺３１ａと凸部上辺１０３ａとの嵌合及び凹部傾斜側辺３１ｃと凸部側辺１０３ｃとの嵌合がリモコン１の自重によって維持されているので、リモコン１が下側又は前方斜め下側上方に向かってから押された場合に、容易に嵌合が外れてリモコン１が落下することがある。
【００３５】
このようなときに、突起部１０４を固着具収納凹部３５に挿入された状態となるように形成することによって、リモコン１が下側又は前方斜め下側上方に向かってから押された場合でも、突起部１０４が固着具収納凹部３５の内側面に当接されることで、リモコン１は上方に移動することができなくなり、容易に嵌合が外れることを防ぐことができる。
【００３６】
さらに、突起部１０４は、その下側縁１０４ｂが平面状に形成されている。このことによって、上記のように、リモコン１が下側又は前方斜め下側上方に向かってから押された場合に、突起部１０４の平面状に形成された下側縁１０４ｂの両角部が、固着具収納凹部３５の内側面に２点で当接されるので、リモコン１の移動がより困難になり、さらに係止状態を安定させることができる。
【００３７】
また、突起部１０４は、その上側縁１０４ａが円弧状に形成されている。リモコン１をリモコンホルダー１０１に係止させる際には、リモコン１をリモコンホルダー１０１に対して前方斜め上方よりリモコンホルダー１０１へ当接させて、係止用凹部３１と係止用凸部１０３とを嵌合させる。この場合に、突起部１０４が固着具収納凹部３５へ挿入されるが、突起部１０４の上側縁１０４ａから固着具収納凹部３５へ挿入されていく。このことより、突起部１０４の上側縁１０４ａを円弧状に形成することによって、挿入時の抵抗を低減して挿入を容易にすることができる。
【００３８】
突起部１０４は、係止用凸部１０３の左右両側におけるリモコンホルダー１０１の側端付近に設けられている。リモコン１をリモコンホルダー１０１に係止させる際に、リモコン１の上方をリモコンホルダー１０１側に傾けて当接させて、係止用凸部１０３を係止用凹部３１へ挿入し嵌合する。突起部１０４を係止用凸部１０３の左右両側におけるリモコンホルダー１０１の側端付近に設けることによって、係止用凸部１０３を係止用凹部３１へ挿入し嵌合する際に、突起部１０４も固着具収納凹部３５へ略同時に挿入されることとなる。このことにより、係止用凸部１０３の係止用凹部３１への挿入と、突起部１０４の固着具収納凹部３５への挿入とを同時に確認することができるので、リモコン１をリモコンホルダー１０１に容易に係止することができる。
【００３９】
したがって、この実施形態のリモコン保持構造では、リモコン１が係止用凹部３１と固着具収納凹部３５とを後面カバー３の背面に備え、リモコンホルダー１０１が係止用凸部１０３と突起部１０４とを前面に備えたことにより、リモコン１がリモコンホルダー１０１に係止される際に、係止用凹部３１と係止用凸部１０３とが係合されると共に、突起部１０４が固着具収納凹部３５に挿入される。このことによって、リモコン１が下側又は前方斜め下側から上方に向かって押された場合でも、突起部１０４が固着具収納凹部３５の内側面に当接されることで、リモコン１は上方に移動することができなくなり、容易に係止状態が外れることを防ぐことができる。
【００４０】
しかも、この場合、前面カバー２と後面カバー３とを結合一体化するための固着具であるネジの頭部が収納される固着具収納凹部３５を有効利用して、リモコンホルダー１０１の前面に同固着具収納凹部３５に挿入される突起部１０４を設けただけの簡単な構造となる。
【００４１】
さらに、この実施形態のリモコン保持構造において、突起部１０４は、その下側縁１０４ｂが平面状に形成されているので、リモコン１が下側又は前方斜め下側から上方に向かって押された場合に、突起部１０４の平面状に形成された下側縁１０４ｂの両角部が、固着具収納凹部３５の内側面に２点で当接されて、リモコン１の移動がより困難になり、さらに係止状態を安定させることができる。
【００４２】
また、突起部１０４が固着具収納凹部３５へ挿入される際には、突起部１０４の上側縁１０４ａから固着具収納凹部３５へ挿入されていくので、突起部１０４の上側縁１０４ａを円弧状に形成することで、挿入時の抵抗を低減することができ、挿入を容易にすることができる。
【００４３】
また、この実施形態のリモコン保持構造では、係止用凹部３１の実質的な係止部がリモコン１の略上半分の範囲に設けられると共に、係止用凸部１０３がリモコンホルダー１０１の略上半分の範囲に設けられているので、リモコン１の重心位置（略中心位置）より高い位置で係止することができる。リモコン１をリモコンホルダー１０１に係止した場合、リモコン１は自重によって係止状態を保持するため、重心位置（略中心位置）より高い位置で係止することによって、同リモコン１の係止状態を安定させることができる。
【００４４】
さらに、突起部１０４を係止用凸部１０３と略同じ高さ位置でその左右両側に設けることによって、係止用凹部３１を係止用凸部１０３へ挿入し嵌合する際に、突起部１０４も固着具収納凹部３５へ略同時に挿入されることとなる。このことにより、係止用凸部１０３の係止用凹部３１への挿入と、突起部１０４の固着具収納凹部３５への挿入とを同時に確認することができるので、リモコン１をリモコンホルダー１０１に容易に係止することができる。
【００４５】
なお、上記実施形態では、本願発明のリモコン保持構造を、トイレルームＴに設置される水洗便器Ａや温水洗浄便座装置を遠隔操作するためのリモコン１及びリモコンホルダー１０１に適用する例について示したが、これに限らず、例えばエアコンやオーディオ機器を遠隔操作するためのリモコンにも適用可能である。特に、エアコン用のリモコンは、上記実施形態のトイレ用リモコンと同様で壁面に取り付けられることが多いため、特に有効である。
【図面の簡単な説明】
【００４６】
【図１】本願発明の実施形態であるリモコン保持構造が設置されたトイレルームを示す斜視図である。
【図２】同リモコン保持構造におけるリモコンを示す前面側からの斜視図である。
【図３】同リモコンの蓋部材を開けた状態を示す前面側からの斜視図である。
【図４】同リモコンの背面側からの斜視図である。
【図５】同リモコン保持構造におけるリモコンホルダーを示す前面側からの斜視図（丸内は要部拡大斜視図）である。
【図６】同リモコン保持構造においてリモコンがリモコンホルダーに係止されている状態を示す断面斜視図である。
【符号の説明】
【００４７】
１  リモコン
２  前面カバー
３  後面カバー
３１  係止用凹部（係止部）
３５  固着具収納凹部
１０１  リモコンホルダー
１０３  係止用凸部（係止受部）
１０４  突起部
【図１】
2008133586.tif 000003
【図２】
2008133586.tif 000004
【図３】
2008133586.tif 000005
【図４】
2008133586.tif 000006
【図５】
2008133586.tif 000007
【図６】
2008133586.tif 000008